【手続補正書】
【提出日】平成17年12月14日(2005.12.14)
【手続補正１】
【補正対象書類名】明細書
【補正対象項目名】発明の名称
【補正方法】変更
【補正の内容】
【発明の名称】サービス制御装置及びゲートウェイ装置
【手続補正２】
【補正対象書類名】明細書
【補正対象項目名】特許請求の範囲
【補正方法】変更
【補正の内容】
【特許請求の範囲】
【請求項１】伝達網の構成する複数の交換機に共通線信号網を介して接続され、インターネット・プロトコル網にゲートウエイ装置を介して接続された「インテリジェント・ネットワーク」のサービス制御装置において、
上記伝達網を介して上記インターネット・プロトコル網に接続された第１端末装置から、コール・ウエイティング・サービス要求を受信した時、「上記第１端末装置がインターネットに接続中である」ことを示す情報をユーザ情報管理テーブルに記憶するための第１の手段と、
上記複数の交換機のうちの１つから、「上記第１端末装置に第２端末装置から着信があった」ことを通知された時、上記ユーザ情報管理テーブルを参照し、上記第１端末装置への着信通知メッセージを上記ゲートウエイ装置に送信するための第２手段とを有することを特徴とするサービス制御装置。
【請求項２】上記ユーザ情報管理テーブルが、上記第１端末の電話番号と、該第１端末がインターネットに接続中か否かを示すフラグ情報と、上記ゲートウエイ装置のアドレス情報とからなるエントリを有し、
上記第１手段が上記エントリの内容を更新し、上記第２手段が、上記エントリの上記フラグ情報とアドレス情報を参照することを特徴とする請求項１に記載のサービス制御装置。
【請求項３】上記ゲートウエイ装置を介して、「上記着信通知に対する上記第１端末装置のユーザからの応答を示す」通知応答メッセージを受信した時、上記第２手段が、上記１つの交換機に、上記第１端末装置への着信呼を上記応答に従って接続サービスさせることを特徴とする請求項１に記載のサービス制御装置。
【請求項４】伝達網の構成する複数の交換機に共通線信号網を介して接続された「インテリジェント・ネットワークのサービス制御装置」と、上記伝達網に接続された「インターネット・プロトコル網」とを接続するための「サービス制御ゲートウエイ装置」において、上記伝達網を介して上記インターネット・プロトコル網に接続された第１端末装置から送信された、上記サービス制御装置によるインターネット・コール・ウエイティング・サービスを要求する「サービス要求メッセージ」を、上記サービス制御装置で実行される複数のサービス制御プログラムのうちの１つを特定する識別子を含む「上記サービス制御装置宛のメッセージ」に変換するプロトコル変換手段と、上記プロトコル変換されたメッセージを、上記サービス制御装置に接続された信号線に送信するための手段とを有することを特徴とするサービス制御ゲートウェイ装置。
【請求項５】上記サービス制御装置から送信された、「上記第１端末装置に第２端末装置から着信があった」ことを示す着信通知メッセージを、上記インターネット・プロトコル網に含まれる「上記第１端末装置と通信中のサーバ」宛のメッセージに変換するプロトコル変換手段、 上記サーバは、上記サービス制御ゲートウエイ装置からの受信メッセージを上記第１端末装置に転送する機能を備え、上記プロトコル変換されたメッセージを、上記サーバと接続された信号線に送信するための手段を有することを特徴とする請求項４に記載のサービス制御ゲートウェイ装置。
【請求項６】上記サービス制御装置から送信された、「上記第１端末装置に第２端末装置から着信があった」ことを示す着信通知メッセージを、上記インターネット・プロトコル網に含まれる「上記第１端末装置と通信中のアクセスポイント装置」宛のメッセージに変換するプロトコル変換手段、 上記アクセスポイント装置は、上記サービス制御ゲートウエイ装置からの受信メッセージを上記第１端末装置に転送する機能を備え、上記プロトコル変換されたメッセージを、上記インターネット・プロトコル網に接続された信号線に送信するための手段を有することを特徴とする請求項４に記載のサービス制御ゲートウェイ装置。
【請求項７】インテリジェントネットワーク内のサービス制御装置がサービス制御ゲートウェイ装置と接続され、該サービスゲートウェイ装置がインターネット・プロトコル網によりゲートウェイ装置と接続され、該ゲートウェイ装置が公衆網を介して端末装置と接続されたネットワーク構成における上記サービス制御装置において、上記サービス制御ゲートウェイ装置から、上記端末装置が加入するサービスに関する制御情報を受信した場合、上記端末装置が上記インターネット・プロトコル網に接続中であるという情報を保持する記憶手段を有することを特徴とするサービス制御装置。
【請求項８】インターネット・プロトコル網を介して端末装置と通信する手段を有するサーバに接続されたサービス制御ゲートウェイ装置と通信する手段を有するサービス制御装置において、
上記サービス制御ゲートウェイ装置から、上記端末装置が上記サーバに要求するサービスに関する制御情報を受信した場合、上記端末装置が上記サーバと接続中であるという情報を保持する記憶手段を有することを特徴とするサービス制御装置。
【請求項９】上記端末装置が加入するサービスは、着信通知サービスであることを特徴とする請求項７または８のいずれかに記載のサービス制御装置。
【請求項１０】上記端末装置を収容する交換機と情報の送受信を行う手段をさらに有し、上記交換機から上記端末装置に対して発呼要求があったとの通知を受けた場合に、上記サービス制御ゲートウェイ装置及び上記ゲートウェイ装置を介して上記端末に着信通知を行うことを特徴とする請求項９に記載のサービス制御装置。
【請求項１１】サービス制御装置と接続されたサービス制御ゲートウェイ装置において、
公衆網を介して端末装置と通信する手段を有するゲートウェイ装置とインターネット・プロトコル網により接続され、
上記サービス制御装置が提供するサービスに関する制御情報を格納する記憶装置と、
上記ゲートウェイ装置から、上記端末装置が加入するサービスに関する制御情報を受信し、該受信した制御情報に対応する制御情報を上記記憶装置から読み出し、上記サービス制御装置に送信するよう制御する制御手段とを有することを特徴とするサービス制御ゲートウェイ装置。
【請求項１２】公衆網を介して端末装置と通信する手段を有するゲートウェイ装置において、サービス制御装置に接続されたサービス制御ゲートウェイ装置とインターネット・プロトコル網により接続されており、
上記サービス制御装置が提供するサービスに関する制御情報を格納する記憶装置と、
端末装置からの接続要求を受け付けた際に、該端末装置が加入するサービスに該当する制御情報を上記記憶装置から読み出し、その制御情報を上記サービス制御ゲートウエイ装置に送信するよう制御する制御手段とを有することを特徴とするゲートウェイ装置。
【請求項１３】インテリジェントネットワーク内のサービス制御装置がサービス制御ゲートウェイ装置と接続され、該サービスゲートウェイ装置がインターネット・プロトコル網によりゲートウェイ装置と接続され、該ゲートウェイ装置が公衆網を介して端末装置と接続されたネットワーク構成における上記ゲートウェイ装置において、上記端末装置から接続要求を受け付けると、上記端末装置が着信通知サービスに加入しているか否かを判断し、上記端末装置が上記着信通知サービスに加入している場合には、上記サービスゲートウェイ装置に対して上記着信通知サービスを要求するための制御情報を上記サービス制御ゲートウエイ装置に送信するよう制御する制御手段を有することを特徴とするゲートウェイ装置。
【請求項１４】サービス制御装置に接続されたサービス制御ゲートウェイ装置と通信を行う手段と、インターネット・プロトコル網を介して端末装置と通信する手段を有するサーバにおいて、
上記サービス制御装置が提供するサービスに関する制御情報を格納する記憶装置と、
端末装置からの要求されたサービスに該当する制御情報を上記記憶装置から読み出し、その制御情報を上記サービス制御ゲートウエイ装置に送信するよう制御する制御手段とを有することを特徴とするサーバ。
【請求項１５】サービス制御装置と通信を行う手段と、インターネット・プロトコル網を介して端末装置と通信する手段を有するサーバと通信を行う手段とを有するサービス制御ゲートウェイ装置において、上記サービス制御装置が提供するサービスに関する制御情報を格納する記憶装置と、上記サーバから、上記端末装置が要求するサービスに関する制御情報を受信し、該受信した制御情報に対応する制御情報を上記記憶装置から読み出し、上記サービス制御装置に送信するよう制御する制御手段とを有することを特徴とするサービス制御ゲートウェイ装置。